(57)【要約】【課題】証票が印刷された後の印刷物の盗難を効果的に防止することができる画像形成装置及び画像形成システムを提供する。【解決手段】画像形成装置は、宛先を示す宛先情報を記録紙の所定の第１印刷位置に印刷する印刷モードを備え、印刷モードは、証票を示す証票データを記録紙の所定の第２印刷位置に印刷する。【選択図】図８
2020071768.tif 000002
【特許請求の範囲】
【請求項１】
宛先を示す宛先情報を記録紙の所定の第１印刷位置に印刷する印刷モードを備え、
前記印刷モードは、証票を示す証票データを前記記録紙の所定の第２印刷位置に印刷することを特徴とする画像形成装置。
【請求項２】
請求項１に記載の画像形成装置であって、
前記宛先情報は、宛名、住所、郵便番号のうち少なくとも１つを含むことを特徴とする画像形成装置。
【請求項３】
請求項１又は請求項２に記載の画像形成装置であって、
前記印刷モードは、前記証票データの前記記録紙への印刷を行うか否かの設定を変更可能とされていることを特徴とする画像形成装置。
【請求項４】
請求項１から請求項３までの何れか１つに記載の画像形成装置であって、
前記証票は、有価証券であることを証明する証票であることを特徴とする画像形成装置。
【請求項５】
請求項１から請求項４までの何れか１つに記載の画像形成装置であって、
前記証票は、通常郵便物の料額印面、郵便書留の料額印面、又は、くじ引番号付き郵便はがきの料額印面及びくじ番号であり、
前記印刷モードでは、前記宛先情報を前記記録紙の表面の前記第１印刷位置に印刷すると共に前記証票を前記用紙の表面の前記第２印刷位置に印刷することを特徴とする画像形成装置。
【請求項６】
請求項１から請求項５までの何れか１つに記載の画像形成装置であって、
両面印刷機能を備え、
前記証票は、往復はがきの料額印面であり、
前記印刷モードでは、前記両面印刷機能を用いて、前記宛先情報を前記記録紙の表面の前記第１印刷位置に印刷すると共に前記証票の往信面情報を前記用紙の表面の前記第２印刷位置に印刷し、前記証票の返信面情報を前記用紙の裏面の前記第２印刷位置に印刷することを特徴とする画像形成装置。
【請求項７】
請求項１から請求項６までの何れか１つに記載の画像形成装置であって、
前記印刷モードでは、前記記録紙の表面の所定の第３印刷位置に「郵便はがき」又は「ＰＯＳＴＣＡＲＤ」という文言を印刷することを特徴とする画像形成装置。
【請求項８】
請求項１から請求項７までの何れか１つに記載の画像形成装置と、前記画像形成装置に接続される管理サーバーとを備えたことを特徴とする画像形成システム。
【請求項９】
請求項８に記載の画像形成システムであって、
前記画像形成装置は、印刷された郵便物の印刷数を前記管理サーバーへ送信し、
前記管理サーバーは、課金処理を行うことを特徴とする画像形成システム。
【発明の詳細な説明】
【技術分野】
【０００１】
本発明は、複写機、複合機等の画像形成装置及び画像形成システムに関する。
【背景技術】
【０００２】
複写機、複合機等の画像形成装置において、郵便物に対して宛先を印刷する際に、下記の課題があった。
【０００３】
（１）郵便物には複数の種類（例えば、日本郵便株式会社発行の普通はがき、年賀はがき等）がある。一方、画像形成装置の給紙トレイの数には限りがある。従って、画像形成装置において、郵便物の種類の数だけ給紙トレイを用意すると、普通紙を使用するための他の給紙トレイが不足する。
【０００４】
（２）給紙トレイに郵便物を収容する時に郵便物の上下の向きや裏表を間違えてセットすることにより、給紙トレイへのセット間違いによる印刷ミスが発生する。
【０００５】
（３）郵便物が日本郵便株式会社発行の普通はがきや年賀はがきである場合、宛先が印刷される前の郵便物が有価証券として転売可能である。このことから、印刷前の郵便物の盗難を防止するために、例えば、はがき用の給紙トレイに鍵を付けて管理する必要があり、はがき用の給紙トレイの管理が煩雑であった。
【０００６】
これらの点に関し、特許文献１には、画像形成装置において記録紙に証票を印刷する技術が開示されている。例えば、はがきに相当する白紙の厚紙に証票を印刷することが考えられる。
【０００７】
そうすると、上記（１）の課題に関しては、はがき用の給紙トレイ（はがきに相当する白紙の厚紙を収容する給紙トレイ）を１つ用意するだけで済むので、普通紙を使用するための他の給紙トレイの不足を回避することができる。しかも、上記（２）及び（３）の課題に関しては、給紙トレイに白紙の厚紙を収容するので、厚紙の上下の向きや裏表を気にする必要がなく、給紙トレイへのセット間違いによる印刷ミスの発生を回避することができると共に、例えば、はがき用の給紙トレイに鍵を付けて管理しなくても済むので、はがき用の給紙トレイの管理を簡素化することができる。
【先行技術文献】
【特許文献】
【０００８】
【特許文献１】特開２００３−３４５５６５号公報
【発明の概要】
【発明が解決しようとする課題】
【０００９】
しかしながら、特許文献１に記載の技術では、証票が印刷された後の印刷物が転売可能であることから、印刷後の郵便物が盗難されることがある。
【００１０】
そこで、本発明は、証票が印刷された後の印刷物の盗難を効果的に防止することができる画像形成装置及び画像形成システムを提供することを目的とする。
【課題を解決するための手段】
【００１１】
前記課題を解決するために、次の画像形成装置及び画像形成システムを提供する。
【００１２】
（１）画像形成装置
本発明に係る画像形成装置は、宛先を示す宛先情報を記録紙の所定の第１印刷位置に印刷する印刷モードを備え、前記印刷モードは、証票を示す証票データを前記記録紙の所定の第２印刷位置に印刷することを特徴とする。
【００１３】
（２）画像形成システム
本発明に係る画像形成システムは、前記本発明に係る画像形成装置と、前記画像形成装置に接続される管理サーバーとを備えたことを特徴とする。
【００１４】
本発明に係る画像形成装置において、前記宛先情報は、宛名、住所、郵便番号のうち少なくとも１つを含む態様を例示できる。
【００１５】
本発明に係る画像形成装置において、前記印刷モードは、前記証票データの前記記録紙への印刷を行うか否かの設定を変更可能とされている態様を例示できる。
【００１６】
本発明に係る画像形成装置において、前記証票は、有価証券であることを証明する証票である態様を例示できる。
【００１７】
本発明に係る画像形成装置において、前記証票は、通常郵便物の料額印面、郵便書留の料額印面、又は、くじ引番号付き郵便はがきの料額印面及びくじ番号であり、前記印刷モードでは、前記宛先情報を前記記録紙の表面の前記第１印刷位置に印刷すると共に前記証票を前記用紙の表面の前記第２印刷位置に印刷する態様を例示できる。
【００１８】
本発明に係る画像形成装置において、両面印刷機能を備え、前記証票は、往復はがきの料額印面であり、前記印刷モードでは、前記両面印刷機能を用いて、前記宛先情報を前記記録紙の表面の前記第１印刷位置に印刷すると共に前記証票の往信面情報を前記用紙の表面の前記第２印刷位置に印刷し、前記証票の返信面情報を前記用紙の裏面の前記第２印刷位置に印刷する態様を例示できる。
【００１９】
本発明に係る画像形成装置において、前記印刷モードでは、前記記録紙の表面の所定の第３印刷位置に「郵便はがき」又は「ＰＯＳＴＣＡＲＤ」という文言を印刷する態様を例示できる。
【００２０】
本発明に係る画像形成システムにおいて、前記画像形成装置は、印刷された郵便物の印刷数を前記管理サーバーへ送信し、前記管理サーバーは、課金処理を行う態様を例示できる。
【発明の効果】
【００２１】
本発明によると、証票が印刷された後の印刷物の盗難を効果的に防止することが可能となる。
【図面の簡単な説明】
【００２２】
【図１】本発明の実施の形態に係る画像形成システムの一例を示すブロック図である。
【図２】図１に示す画像形成システムにおける画像形成装置の一例を示す斜視図である。
【図３】図２に示す画像形成装置の一例を示すブロック図である。
【図４】図１に示す画像形成システムにおける管理サーバーの一例を示すブロック図である。
【図５】複数種類の有価証券のうち何れか１つを選択するメイン選択画面の一例が表示パネルに表示されている状態を示す平面図である。
【図６】複数種類の通常郵便物のうち何れか１つを選択する第１サブ選択画面の一例が表示パネルに表示されている状態を示す平面図である。
【図７】複数種類のくじ引番号付き郵便はがきのうち何れか１つを選択する第２サブ選択画面の一例が表示パネルに表示されている状態を示す平面図である。
【図８】郵便物として証票の一例が印刷された記録紙を示す平面図である。
【発明を実施するための形態】
【００２３】
以下、本発明に係る実施の形態について図面を参照しながら説明する。図１は、本発明の実施の形態に係る画像形成システム１００の一例を示すブロック図である。図１に示すように、画像形成システム１００は、複数の画像形成装置１０（１）〜１０（ｍ）（ｍは２以上の整数）と、複数の管理サーバー２０（１）〜２０（ｎ）（ｎは２以上の整数）（課金サーバー）とを備えている。画像形成装置１０（１）〜１０（ｍ）は、例えば、コンビニエンスストアといった店舗等の公な設置場所１（１）〜１（ｍ）にそれぞれ設置される。
【００２４】
複数の画像形成装置１０（１）〜１０（ｍ）は、複数の画像形成装置群Ｇ（１）〜Ｇ（ｎ）（各地域の画像形成装置１０〜１０）に区分けされ、区分けされた画像形成装置群Ｇ（１）〜Ｇ（ｎ）（各地域の画像形成装置１０〜１０）は、複数の管理サーバー２０（１）〜２０（ｎ）にそれぞれ割り当てられてネットワークＮＴを介してそれぞれ接続されている。なお、図１中の支払い情報ＣＩは、後述する印刷サービスにおいて、現金払い、クレジットカード決済、電子マネー決済により使用者が料金を支払った支払い情報であり、設置場所１（１）〜１（ｍ）からネットワークＮＴを介して管理サーバー２０（１）〜２０（ｎ）に送信される。
【００２５】
（画像形成装置）
画像形成装置１０（１）〜１０（ｍ）（以下、単に画像形成装置１０ということがある）は、例えば、ＭＦＰ（Ｍｕｌｔｉ  Ｆｕｎｃｔｉｏｎ  Ｐｅｒｉｐｈｅｒａｌ）などの複合機である。
【００２６】
図２は、図１に示す画像形成システム１００における画像形成装置１０の一例を示す斜視図である。図３は、図２に示す画像形成装置１０の一例を示すブロック図である。
【００２７】
画像形成装置１０は、画像形成機能（プリンタ機能）、スキャナ機能、カラーコピー機能（原稿複写機能）を有している。画像形成装置１０は、画像読取部１１と、給紙部１２と、画像形成部１３と、排紙部１４と、操作表示部１５と、データ入力部１６と、ネットワーク通信部１７と、記憶部１８と、制御部１９とを備えている。
【００２８】
画像読取部１１は、原稿の画像を読み取るものであり、原稿搬送部１１ａと、原稿読取部１１ｂとを備えている。画像読取部１１は、原稿搬送部１１ａにて原稿を搬送しつつ原稿の画像を原稿読取部１１ｂで読み取るか、又は、原稿読取部１１ｂの原稿台上に載置された原稿を原稿読取部１１ｂでスキャンして読み取る。給紙部１２は、記録紙を画像形成部１３に向けて搬送する。画像形成部１３は、画像データに基づいて給紙部１２から送られてきた記録紙に画像を形成（印刷）する。排紙部１４は、画像形成部１３にて画像形成した記録紙を排紙する。
【００２９】
操作表示部１５は、使用者の操作を受け付けると共に、表示データに基づいて表示画面に各種情報を表示する。操作表示部１５は、ハードウェアーキー１５ａと、表示パネル１５ｂと、表示パネル１５ｂ上に設けられたタッチパネル１５ｃとを含んでいる。操作表示部１５は、表示パネル１５ｂに表示される各種ソフトウェアキーへの使用者のタッチ操作をタッチパネル１５ｃで受け付ける。
【００３０】
データ入力部１６は、携帯端末装置３０（例えば携帯電話機）から短距離無線通信により送信された宛先を示す情報（宛先情報ＡＤ）が入力されるか、又は、ＵＳＢメモリやＳＤメモリカード等の記録媒体Ｍが装着されて記録媒体Ｍに記録された宛先を示す情報（宛先情報ＡＤ）が入力される。ネットワーク通信部１７は、ネットワークＮＴを介して図１に記載の管轄の管理サーバー２０（ｉ）（ｉは１からｎまでの整数）と通信する。記憶部１８は、ＲＯＭ等の不揮発性メモリ、ＲＡＭ等の揮発性メモリを含む。制御部１９は、画像形成装置１０全体の制御を司る。制御部１９は、ＣＰＵ等のコンピュータからなる。制御部１９は、記憶部１８のＲＯＭに予め格納された制御プログラムを記憶部１８のＲＡＭ上にロードして実行することにより、各種構成要素の作動制御を行う。
【００３１】
本実施の形態において、画像形成装置１０は、コピー（原稿複写）、プリント、ファクシミリ、スキャナなどの通常サービスを利用者に提供するだけでなく、郵便物の印刷サービスを利用者に提供する。この郵便物の印刷サービスについては後ほど詳述する。
【００３２】
（管理サーバー）
図１に記載の管理サーバー２０（１）〜２０（ｎ）は、ネットワークＮＴを介して画像形成装置群Ｇ（１）〜Ｇ（ｎ）（各地域の画像形成装置１０〜１０）とそれぞれ接続される。管理サーバー２０（１）〜２０（ｎ）（以下、単に管理サーバー２０ということがある）は、郵便物の印刷サービスの課金処理を行う。
【００３３】
図４は、図１に示す画像形成システム１００における管理サーバー２０の一例を示すブロック図である。管理サーバー２０は、ネットワーク通信部２１と、記憶部２２と、制御部２３とを備えている。
【００３４】
ネットワーク通信部２１は、ネットワークＮＴを介して、画像形成装置群Ｇ（１）〜Ｇ（ｎ）と通信する。記憶部２２は、ＲＯＭ等の不揮発性メモリ、ＲＡＭ等の揮発性メモリを含む。記憶部２２は、郵便物の印刷サービスの課金処理に関する情報を記憶する。制御部２３は、管理サーバー２０全体の制御を司る。制御部２３は、ＣＰＵ等のコンピュータからなる。制御部２３は、記憶部２２のＲＯＭに予め格納された制御プログラムを記憶部２２のＲＡＭ上にロードして実行することにより、各種構成要素の作動制御を行う。制御部２３は、記憶部２２が記憶する情報の登録、削除、変更などの処理を行う。制御部２３は、ネットワーク通信部２１からネットワークＮＴを経由して画像形成装置群Ｇ（ｉ）（各地域の画像形成装置１０〜１０）との間で郵便物の印刷サービスの課金処理に関する情報の送受信を行う。
【００３５】
〔本実施の形態について〕
制御部１９は、宛先情報ＡＤを記録紙の所定の第１印刷位置に印刷する印刷モードを備える。印刷モードは、証票を示す証票データを記録紙の所定の第２印刷位置に印刷する。
【００３６】
本実施の形態によれば、記録紙に宛先情報ＡＤに基づく宛先を印刷するので、窃盗犯が印刷後の記録紙を郵便物として盗んでも、郵便物としての印刷後の記録紙に宛先が印刷されていることから、窃盗犯は転売することができない。従って、郵便物としての印刷後の記録紙の盗難を効果的に防止することができる。しかも、印刷モードは、記録紙に証票データに基づく証票を印刷するので、ユーザーは、宛先に加えて証票を記録紙に印刷することができる。
【００３７】
（第１実施形態）
画像形成装置１０において、制御部１９は、図３に示すように、宛先情報受取手段Ｐ１と、印刷手段Ｐ２とを備える。
【００３８】
宛先情報受取手段Ｐ１は、携帯端末装置３０からデータ入力部１６を介して宛先情報ＡＤを受信して宛先情報ＡＤを受け付けるか、或いは、データ入力部１６に装着された記録媒体Ｍから宛先情報ＡＤを読み出して宛先情報ＡＤを受け付ける。
【００３９】
印刷手段Ｐ２は、宛先情報ＡＤを記録紙の第１印刷位置に印刷する。ここで、宛先情報は、宛名、宛先の住所、郵便番号のうち少なくとも１つを含む情報である。宛先情報は、郵便物の第１印刷位置に印刷する。例えば、宛名は、記録紙の表面の左右方向における中央部に印刷する。住所は、記録紙の表面の右端部に印刷する。また、郵便番号は、通常は、記録紙の表面の上部右側に印刷する。
【００４０】
また、制御部１９は、証票選択受付手段Ｐ３と、証票データ読出手段Ｐ４とをさらに備える。記憶部１８には、証票（例えば有価証券であることを証明する複数種類の証票）を示す証票データが予め記憶されている。
【００４１】
証票選択受付手段Ｐ３は、複数種類の証票のうちの何れか１種類の証票の選択を受け付ける。証票データ読出手段Ｐ４は、証票選択受付手段Ｐ３にて選択された証票を示す証票データを記憶部１８から読み出す。なお、管理サーバー２０の記憶部２２或いは他のサーバーの記憶部に証票データを予め記憶しておき、証票データ読出手段Ｐ４は、そこから証票データを読み出すようにしてもよい。
【００４２】
印刷手段Ｐ２は、証票データを記録紙の第２印刷位置に印刷する。ここで、証票は、郵便物の第２印刷位置に印刷する。証票は、通常は、記録紙の表面の左上角部に印刷する。
【００４３】
例えば、印刷手段Ｐ２は、記録紙に、証票データ読出手段Ｐ４にて読み出した証票データに基づく証票を、宛先情報受取手段Ｐ１にて受け付けた宛先情報ＡＤに基づく宛先と同時に印刷してもよい。
【００４４】
本実施の形態において、印刷モードは、証票データの記録紙への印刷を行うか否かの設定を変更可能とされている。こうすることで、ユーザーは、宛先情報ＡＤに加えて必要に応じて証票データを記録紙に印刷することができる。この場合、証票データを記録紙へ印刷する証票印刷を行うか否かの設定をオンオフする設定ボタン（図示省略）が操作表示部１５に選択入力可能に表示される。そして、記憶部２２における証票印刷用フラグ（図示省略）がユーザーの選択入力操作に応じてオン又はオフされる。印刷手段Ｐ２は、証票印刷用フラグがオンのときに証票印刷を行う一方、証票印刷用フラグがオフのときは証票印刷を行わない。
【００４５】
（第２実施形態）
本実施の形態において、証票は、有価証券であることを証明する証票である。こうすることで、有価証券であることを証明する証票が印刷された記録紙を有価証券とすることができる。
【００４６】
本実施の形態において、証票は、通常郵便物の料額印面、郵便書留の料額印面、又は、くじ引番号付き郵便はがきの料額印面及びくじ番号である。印刷モードでは、宛先情報を記録紙の表面の第１印刷位置に印刷すると共に証票を用紙の表面の第２印刷位置に印刷する。こうすることで、利用者は、通常郵便物、郵便書留、又は、くじ引番号付き郵便はがきを送りたいときに利用することができる。ここで、通常郵便物としては、普通はがきの料額印面（普通はがきの郵便料金に相当する証票）を付した普通はがき、「料金後納」を付した料金後納郵便（料金受取人払の場合には承認番号を含む）、「料金別納」を付した料金別納郵便を例示できる。郵便書留としては、郵便書留の料額印面（郵便書留の郵便料金に相当する証票）を付したものを例示できる。また、くじ引番号付き郵便はがきとしては、お年玉付郵便はがき（所謂年賀はがき）、夏のおたより郵便はがきを例示できる。証票は、郵便物の第２印刷位置に印刷する。例えば、通常郵便物の料額印面、郵便書留の料額印面、又は、くじ引番号付き郵便はがきの料額印面は、記録紙の表面の左上角部に印刷する。くじ引番号は、記録紙の表面の下部に印刷する。証票は、各種郵便物に対応する色（例えば年賀はがきの場合には朱色又は赤色）に色付けされる。また、記録紙としては、はがきを郵送する場合、はがきに相当する白紙の厚紙を例示できる。なお、本実施の形態は、手紙を郵送する場合に適用してもよい。この場合、記録紙としては、白紙の封筒を例示できる。
【００４７】
本実施の形態に係る画像形成装置１０は、両面印刷機能を備えている。証票は、往復はがきの料額印面である。印刷モードでは、両面印刷機能を用いて、宛先情報を記録紙の表面の第１印刷位置に印刷すると共に証票の往信面情報を用紙の表面の第２印刷位置（通常は記録紙の表面の左上角部）に印刷し、証票の返信面情報を用紙の裏面の第２印刷位置（通常は記録紙の裏面の左上角部）に印刷する。こうすることで、利用者は、往復はがきを送りたいときに利用することができる。ここで、往復はがきとしては、往復はがきの料額印面（往復はがきの郵便料金に相当する証票）を付したものを例示できる。
【００４８】
図５は、複数種類の有価証券のうち何れか１つを選択するメイン選択画面ＳＧの一例が表示パネル１５ｂに表示されている状態を示す平面図である。図６は、複数種類の通常郵便物のうち何れか１つを選択する第１サブ選択画面ＳＧ１の一例が表示パネル１５ｂに表示されている状態を示す平面図である。図７は、複数種類のくじ引番号付き郵便はがきのうち何れか１つを選択する第２サブ選択画面ＳＧ２の一例が表示パネル１５ｂに表示されている状態を示す平面図である。図８は、郵便物として証票ＳＰの一例が印刷された記録紙ＲＰを示す平面図である。図８において、符号ＮＭは宛名を示し、符号ＡＮは宛先の住所を示し、符号ＺＰは宛先の郵便番号を示している。
【００４９】
図５に示すように、証票選択受付手段Ｐ３では、メイン選択画面ＳＧにおいて、「通常郵便物」を選択するための第１選択ボタンＢＴ１、「往復はがき」を選択するための第２選択ボタンＢＴ２、「郵便書留」を選択するための第３選択ボタンＢＴ３、及び、「くじ引番号付き郵便はがき」を選択するための第４選択ボタンＢＴ４のうち何れか１つをタッチ操作により選択できるようになっている。
【００５０】
また、図６に示すように、証票選択受付手段Ｐ３では、第１選択ボタンＢＴ１が選択された場合、第１サブ選択画面ＳＧ１において、「普通はがき」を選択するための第５選択ボタンＢＴ５、「料金後納郵便」を選択するための第６選択ボタンＢＴ６、「料金別納郵便」を選択するための第７選択ボタンＢＴ７のうち何れか１つをタッチ操作により選択できるようになっている。
【００５１】
また、図７に示すように、証票選択受付手段Ｐ３では、第４選択ボタンＢＴ４が選択された場合、第２サブ選択画面ＳＧ２において、「年賀はがき」を選択するための第８選択ボタンＢＴ８、又は、「夏のおたより郵便はがき」を選択するための第９選択ボタンＢＴ９をタッチ操作により選択できるようになっている。なお、証票選択受付手段Ｐ３では、「年賀はがき」及び「夏のおたより郵便はがき」の選択ボタンは、時期により選択できないようになっている。
【００５２】
そして、「年賀はがき」が選択されると、図８に示すような、記録紙に、くじ引番号付き郵便はがきの料額印面ＳＰａ及びくじ番号ＮＹが宛先（宛名ＮＭ、住所ＡＮ、郵便番号ＺＰ）と同時に印刷されて、印刷後の記録紙ＲＰが有価証券となる。
【００５３】
本実施の形態において、記憶部１８には、郵便物の形態をなす表面印刷に関する表面印刷データが予め記憶されている。ここで、表面印刷には、例えば、宛先の郵便番号欄ＺＰＣ及び差出人に郵便番号欄ＳＺＣが含まれていてもよい。宛先の郵便番号欄ＺＰＣ及び差出人の郵便番号欄ＳＺＣは、規定の位置に印刷する。表面印刷は、各種郵便物に対応する色（例えば年賀はがきの場合には朱色又は赤色）に色付けされる。また、表面印刷には、例えば、差出人名ＳＮ、差出人の住所ＳＡ、郵便番号ＳＺのうち少なくとも１つが含まれていてもよい。
【００５４】
図３に示すように、制御部１９は、表面印刷データ読出手段Ｐ５をさらに備える。表面印刷データ読出手段Ｐ５は、表面印刷データを記憶部１８から読み出す。なお、管理サーバー２０の記憶部２２或いは他のサーバーの記憶部に表面印刷データを予め記憶しておき、表面印刷データ読出手段Ｐ５は、そこから表面印刷データを読み出すようにしてもよい。
【００５５】
印刷手段Ｐ２は、表面印刷データ読出手段Ｐ５にて読み出した表面印刷データに基づく表面印刷を記録紙に宛先（宛名ＮＭ、住所ＡＮ、郵便番号ＺＰ）及び証票ＳＰ（料額印面ＳＰａ）と同時に印刷する。こうすることで、印刷後の記録紙ＲＰを郵便物として見栄えをよくすることができる。また、表面印刷に差出人名ＳＮ及び／又は差出人の住所ＳＡを含む場合、差出人名ＳＮ及び／又は差出人の住所ＳＡの手書き作業をなくすことができる。
【００５６】
ところで、はがき（第二種郵便物）を郵送したにも拘わらず、郵便物としての印刷後の記録紙ＲＰに「郵便はがき」又は「ＰＯＳＴＣＡＲＤ」の表示がない場合は、手紙（第一種郵便物）として取り扱われ、郵便料金が本来送りたい郵便物の郵便料金よりも高くなる。
【００５７】
この点、本実施の形態において、印刷モードでは、記録紙の表面の所定の第３印刷位置に「郵便はがき」又は「ＰＯＳＴＣＡＲＤ」という文言を印刷する。こうすることで、郵便物としての印刷後の記録紙ＲＰがはがき（第二種郵便物）として取り扱われ、郵便料金を本来送りたい郵便物の料金として支払うことができる。「郵便はがき」ＰＳ又は「ＰＯＳＴＣＡＲＤ」は、郵便物の第３印刷位置に印刷する。通常は、「郵便はがき」ＰＳ又は「ＰＯＳＴＣＡＲＤ」は、記録紙の表面の上部の左右方向における中央部に印刷する。
【００５８】
（第３実施形態）
本実施の形態において、画像形成装置１０は、印刷された郵便物の印刷数を管轄の管理サーバー２０（ｉ）へ送信し、管理サーバー２０（ｉ）は、課金処理を行う。こうすることで、利用者は、印刷された郵便物の印刷料金及び郵便料金を容易に支払うことができる。
【００５９】
詳しくは、使用者は、画像形成装置１０に接続されたコインベンダー、レジでの現金払い、クレジットカード決済、電子マネー決済により、印刷料金及び郵便料金の合計金額を支払う。そうすると、支払い情報ＣＩ（図１参照）が管轄の管理サーバー２０（ｉ）に送られる。管轄の管理サーバー２０（ｉ）では、印刷単価及び郵便送料単価が記憶部２２に予め記憶されている。図４に示すように、制御部２３は、課金処理手段Ｑ１を備える。課金処理手段Ｑ１は、印刷数に印刷単価を掛け合わせた印刷料金の一部を、郵便物を印刷した画像形成装置（ｊ）（ｊは１からｍまでの整数）を設置する設置場所１（ｊ）に支払う。さらに、課金処理手段Ｑ１は、印刷数に郵便送料単価を掛け合わせた郵便料金を日本郵便株式会社に支払う。
【００６０】
本発明は、以上説明した実施の形態に限定されるものではなく、他のいろいろな形で実施することができる。そのため、係る実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【００６１】
１      設置場所
１０    画像形成装置
１００  画像形成システム
１１    画像読取部
１１ａ  原稿搬送部
１１ｂ  原稿読取部
１２    給紙部
１３    画像形成部
１４    排紙部
１５    操作表示部
１５ａ  ハードウェアーキー
１５ｂ  表示パネル
１５ｃ  タッチパネル
１６    データ入力部
１７    ネットワーク通信部
１８    記憶部
１９    制御部
２０    管理サーバー
２１    ネットワーク通信部
２２    記憶部
２３    制御部
３０    携帯端末装置
ＡＤ    宛先情報
ＡＮ    宛先の住所
ＢＴ１  第１選択ボタン
ＢＴ２  第２選択ボタン
ＢＴ３  第３選択ボタン
ＢＴ４  第４選択ボタン
ＢＴ５  第５選択ボタン
ＢＴ６  第６選択ボタン
ＢＴ７  第７選択ボタン
ＢＴ８  第８選択ボタン
ＢＴ９  第９選択ボタン
ＣＩ    支払い情報
Ｇ      画像形成装置群
Ｍ      記録媒体
ＮＭ    宛名
ＮＴ    ネットワーク
ＮＹ    くじ番号
Ｐ１    宛先情報受取手段
Ｐ２    印刷手段
Ｐ３    証票選択受付手段
Ｐ４    証票データ読出手段
Ｐ５    表面印刷データ読出手段
ＰＳ    「郵便はがき」
Ｑ１    課金処理手段
ＲＰ    印刷後の記録紙
ＳＡ    差出人の住所
ＳＧ    メイン選択画面
ＳＧ１  第１サブ選択画面
ＳＧ２  第２サブ選択画面
ＳＮ    差出人名
ＳＰ    証票
ＳＰａ  料額印面
ＳＺ    差出人の郵便番号
ＳＺＣ  差出人の郵便番号欄
ＺＰ    宛先の郵便番号
ＺＰＣ  宛先の郵便番号欄
【図１】
2020071768.tif 000003
【図２】
2020071768.tif 000004
【図３】
2020071768.tif 000005
【図４】
2020071768.tif 000006
【図５】
2020071768.tif 000007
【図６】
2020071768.tif 000008
【図７】
2020071768.tif 000009
【図８】
2020071768.tif 000010